(57)【要約】【目的】  施工性、経済性に優れ、床の衝撃音を防振ゴムによって吸収させることができるとともに、壁際や玄関框部分への設置に際しては床の沈み込みや振動のない、改善された新しい二重床の支持脚を提供する。【構成】  ベースプレート（１）にネジ螺合（２）で結合されて高さ調節自在とされたトッププレート（３）と床パネル受け（４）とを有し、トッププレートと床パネル受けとの間への着脱を自在とした防振ゴム（５）が備えられる。【選択図】図１
2005009298.tif 000002
【特許請求の範囲】
【請求項１】
ベースプレートにネジ螺合で結合されて高さ調節自在とされたトッププレートと床パネル受けとを有し、トッププレートと床パネル受けとの間への着脱を自在とした防振ゴムが備えられていることを特徴とする二重床の支持脚。
【請求項２】
トッププレートには床パネル受けへの固定具の挿通孔が配設され、この挿通孔に挿通する固定具を備えていることを特徴とする請求項１の二重床の支持脚。
【請求項３】
トッププレートには防振ゴムの嵌め込み孔が配設され、防振ゴムの中央胴部の上下の少くとも一方にはトッププレートに配設された防振ゴム嵌め込み孔への嵌合部が設けられていることを特徴とする請求項１または２の二重床の支持脚。
【請求項４】
床パネル受けには防振ゴムの挿入穴が配設され、防振ゴムの中央胴部の上下の少くとも一方には床パネル受けに配設された防振ゴム挿入穴への挿入部が設けられていることを特徴とする請求項１ないし３のいずれかの二重床の支持脚。
【請求項５】
防振ゴムの挿入部には返し突部が形成されていることを特徴とする請求項４の二重床の支持脚。
【請求項６】
返し突部には、上下に延びる接着剤用の流入溝が形成されていることを特徴とする請求項５の二重床の支持脚。
【発明の詳細な説明】
【技術分野】
【０００１】
この出願の発明は、二重床の支持脚に関するものである。さらに詳しくは、この出願の発明は、床の衝撃音を防振ゴムによって吸収させることができるとともに、壁際や玄関框部等への設置に際しては床の沈み込みや振動を抑止することのできる、改善された新しい二重床の支持脚に関するものである。
【背景技術】
【０００２】
従来、集合住宅等のコンクリートスラブ上に床を配置する際に、床の衝撃音を防振ゴムによって吸収して階下に音が伝わることを抑えるようにした、支持脚を用いた二重床構造と、これに用いる支持脚が知られている（特許文献１−３）。
【特許文献１】実開平２−１３０９３８２号公報
【特許文献２】特開２００１−１５９２０８号公報
【特許文献３】特開２００１−２０７６２８号公報
【発明の開示】
【発明が解決しようとする課題】
【０００３】
しかしながら、従来の支持脚を用いた二重床構造の場合には、弾性のある防振ゴムを介在させた支持脚の使用によって、床面の衝撃音を吸収して階下に音が伝達されるのを抑制する効果が得られるものの、一方で、壁際や玄関框部、さらには振動を防止する必要がある洗濯機下部等の床面では、沈み込みや振動のない床面とすることが必要であることから、前記のような防振ゴムを介在させた支持脚を用いることができない。
【０００４】
このため、従来では、二重床構造の施工においては、弾性のある防振ゴムを介在させた支持脚と、弾性のない、床面の沈み込みのない支持脚との２種類のものを用意しなければならず、施工現場で各々の本数に不足が生じた場合でも流用することができず、どうしても過剰に予備を準備しなければならないという問題があった。
【０００５】
そこで、この出願の発明は、以上のような問題点を解消し、施工性、経済性に優れ、床の衝撃音を防振ゴムによって吸収させることができるとともに、壁際や玄関框部等への設置に際しては床の沈み込みや振動のない、改善された新しい二重床の支持脚を提供することを課題としている。
【課題を解決するための手段】
【０００６】
この出願の発明は、上記の課題を解決するものとして、第１には、ベースプレートにネジ螺合で結合されて高さ調節自在とされたトッププレートと床パネル受けとを有し、トッププレートと床パネル受けとの間への着脱を自在とした防振ゴムが備えられていることを特徴とする二重床の支持脚を提供する。
【０００７】
また、この出願の発明は、第２には、トッププレートには床パネル受けへの固定具の挿通孔が配設され、この挿通孔に挿通する固定具を備えていることを特徴とする前記の二重床の支持脚を提供する。
【０００８】
そして、第３には、トッププレートには防振ゴムの嵌め込み孔が配設され、防振ゴムの中央胴部の上下の少くとも一方には、トッププレートに配設された防振ゴム嵌め込み孔への嵌合部が設けられていることを特徴とする二重床の支持脚を提供し、第４には、床パネル受けには防振ゴムの挿入穴が配設され、防振ゴムの中央胴部の上下の少くとも一方には床パネル受けに配設された防振ゴム挿入穴への挿入部が設けられていることを特徴とする二重床の支持脚を提供する。
【０００９】
さらに第５には、前記の防振ゴムの挿入部には返し突部が形成されていることを特徴とする二重床の支持脚を提供し、第６には、返し突部には、上下に延びる接着剤用の流入溝が形成されていることを特徴とする二重床の支持脚を提供する。
【発明の効果】
【００１０】
以上のとおりのこの出願の発明による支持脚によって、従来のように２種類の支持脚を用意する必要は全くなく、二重床の支持脚として、床の衝撃音を防振ゴムによって吸収させることができるとともに、壁際や玄関框部分への設置に際しては床の沈み込みを抑止することができる。
【００１１】
これによって、二重床構造の現場施工性、そして経済性が大きく向上する。
【発明を実施するための最良の形態】
【００１２】
添付した図面の図１は、この出願の発明の支持脚の基本的構成についての実施の形態を例示した分解斜視図である。たとえばこの図１の例のように、この出願の発明の二重床の支持脚は、ベースプレート（１）にネジ螺合（２）で結合されて高さ調節自在とされたトッププレート（３）と、床面を構成するパネルを受ける役割を果たす床パネル受け（４）とを有し、さらには、トッププレート（３）と床パネル受け（４）との間への着脱を自在とした防振ゴム（５）を備えている。
【００１３】
そして、この例においては、防振ゴム（５）は、全体として略円筒形の外観形状を有し、たとえば次のような構造によって、この防振ゴム（５）は着脱自在とされている。すなわち、トッププレート（３）に、防振ゴム（５）の嵌め込み孔（３１）が、たとえばだるま穴形状で設けられており（なお、図１では黒色で表示されている）、防振ゴム（５）には、この嵌め込み孔（３１）に嵌め込みが可能とされた嵌合部（５１）が、その中央胴部（５２）の下側に設けられている。一方、床パネル受け（４）には、防振ゴム（５）の挿入穴（４１）が配設されており、これに対応して、防振ゴム（５）の上側には、この挿入穴（４１）への挿入部（５３）が設けられている。
【００１４】
たとえば、このような構造によって、防振ゴム（５）の下側の嵌合部（５１）をトッププレート（３）の嵌め込み孔（３１）に嵌め込み、上側の挿入部（５３）を床パネル受け（４）の挿入穴（４１）に挿入することで、図２に例示したような、トッププレート（３）と床パネル受け（４）との間に防振ゴム（５）を介在させた、弾性のある二重床の支持構造が実現されることになる。
【００１５】
一方、この出願の発明の支持脚を壁際や玄関框部等に配置する場合には、防振ゴム（５）を装着することなしに、図３に例示したように、トッププレート（３）の上に、床パネル受け（４）を直置して用いる。これによって、弾性を必要とせず、振動を回避する必要のある部位への支持脚としての配置が可能となる。
【００１６】
以上のように、この出願の発明の支持脚によれば、たとえば図４に一般部用脚と壁際用脚の場合について従来との比較を例示したように、（Ａ）従来では、２種類の支持脚を用意しなければならなかったが、（Ｂ）同一種の支持脚を用意し、配設部位に対応して防振ゴムの着脱を行えばよいことになる。これによって、二重床構造の施工のための部材点数を削減し、施工性を高め、施工コストの低減化を図ることが可能になる。
【００１７】
そして、前記のトッププレート（３）上への床パネル受け（４）の直置については、図３に例示したように、ネジや釘等の固定具（６）によって固定することができる。この固定をより容易とするために、図１に例示したように、トッププレート（３）には、ネジ等の固定具（６）の挿通用の挿通孔（３２）を設けておくことも有効である。
【００１８】
防振ゴム（５）とその着脱自在な構造については各種の形態が考慮されてよく、たとえば図５に例示したような、弾性部（５４）とともに、トッププレート（３）と床パネル受け（４）の端部を挾持する挾持片部（５５）を有する防振ゴム（５）が用いられてもよい。図６（Ａ）は、この防振ゴム（５）をトッププレート（３）と床パネル受け（４）との間に装着した状態を示し、図６（Ｂ）は防振ゴム（５）を取り外して、トッププレート（３）の上に床パネル受け（４）を直置した状態を示したものである。
【００１９】
図７は、この出願の発明の別の実施の形態を例示した概要図である。この例の場合には、防振ゴム（５）をトッププレート（３）と床パネル受け（４）との間に介在させて、支持脚が弾性機能を発現させるようにした状態（Ａ）から、一旦、防振ゴム（５）を取り外し、その上下位置を逆転させてトッププレート（３）に装着することで、トッププレート（３）上に床パネル受け（４）が直置された状態（Ｂ）で、防振ゴム（５）が、トッププレート（３）と床パネル受け（４）との固定具として機能するようにしている。
【００２０】
このような特徴のある機能を実現するために、図７の例の場合には、防振ゴム（５）の一方の端部、すなわち図７（Ａ）における中央胴部（５２）の下側の嵌合部（５１）の外径寸法（α）が、床パネル受け（４）の挿入穴（４１）の内径（β）とほぼ等しく、比較的硬質な嵌合部（５１）が、挿入穴（４１）に挿入されて、トッププレート（３）と床パネル受け（４）とをしっかりと固定するようにしている。
【００２１】
防振ゴム（５）によるこの固定をより確実、安定にするためには、図８に例示したように、その中央胴部（５２）の上下の両側に、ひだのある前記の挿入部（５３）を配設してもよい。この場合には一方の側の挿入部（５３）には、前記の嵌合部（５１）も具備されている。
【００２２】
以上の図７および図８に例示した実施の形態においては、防振ゴム（５）そのものが、トッププレート（３）と床パネル受け（４）との間に介在されて弾性機能を発現するとともに、トッププレート（３）の上に床パネル受け（４）を直置した場合の固定具（６）としての機能をも実現する。そして、この図７および図８の例の場合にも、防振ゴム（５）は、装着−取外し−逆転−装着という過程として、トッププレート（３）と床パネル受け（４）との間へ着脱自在とされている。
【００２３】
なお、前記の挿入部（５３）については、床パネル受け（４）の挿入穴（４１）への挿入固定を確実にするためにひだを有していることが好ましく、特にこのひだは、抜けにくくするための返し突部として構成されていることが望ましい。この返し突部には、図９（Ａ）（Ｂ）に概要を示したように、上下に延びる接着剤用の流入溝（５６）を形成することができる。流入溝（５６）により、トッププレート（３）と床パネル受け（４）との間に防振ゴム（５）を介在させる際の床パネル受け（４）と防振ゴム（５）との固定強度を高めることができる。すなわち、図１０に示したように、床パネル受け（４）の挿入穴（４１）に接着剤（７）を入れたとき、接着剤（７）は、流入溝（５６）内を通って挿入部（５３）の周りに満遍なく行き渡る。このため、防振ゴム（５）は、床パネル受け（４）に十分な強度で固定される。たとえば、床施工中に施工者の衣服等が床パネル受け（４）に引っかかるようなことがあっても、床パネル受け（４）がトッププレート（３）から脱落するのが防止される。施工性が向上する。
【００２４】
もちろん、この出願の発明は以上の例に限定されることはない。細部については様々な形態が可能であることは言うまでもない。
【産業上の利用可能性】
【００２５】
以上詳しく説明したとおり、この出願の発明によって、施工性、経済性に優れた、二重床の支持脚が提供される。床の衝撃音を防振ゴムによって吸収させることができるとともに、壁際や玄関框部分への設置に際しては床の沈み込みや振動のない、改善された新しい二重床の支持脚となる。
【図面の簡単な説明】
【００２６】
【図１】この出願の発明の二重床の支持脚の一実施形態を例示した分解斜視図である。
【図２】図１の例において、防振ゴムの介在による弾性機能を実現する状態を例示した概要断面図である。
【図３】図１の例において、トッププレート上に、床パネル受けを直置した状態を例示した概要断面図である。
【図４】従来の場合との比較を例示した要部断面図である。
【図５】別の実施形態を例示した分解斜視図である。
【図６】図５の支持脚の使用状態（Ａ）（Ｂ）を例示した概要断面図である。
【図７】別の実施形態を例示した概要断面図である。
【図８】図７と異なるさらに別の実施形態を例示した概要断面図である。
【図９】また別の実施形態を示した概要斜視図（Ａ）、概要平面図（Ｂ）である。
【図１０】図９の支持脚の固定状態を示した概要断面図である。
【符号の説明】
【００２７】
１  ベースプレート
２  ネジ螺合
３  トッププレート
３１  嵌め込み孔
３２  挿通孔
４  床パネル受け
４１  挿入穴
５  防振ゴム
５１  嵌合部
５２  中央胴部
５３  挿入部
５４  弾性部
５５  挾持片部
５６  流入溝
６  固定具
７  接着剤
【図１】
2005009298.tif 000003
【図２】
2005009298.tif 000004
【図３】
2005009298.tif 000005
【図４】
2005009298.tif 000006
【図５】
2005009298.tif 000007
【図６】
2005009298.tif 000008
【図７】
2005009298.tif 000009
【図８】
2005009298.tif 000010
【図９】
2005009298.tif 000011
【図１０】
2005009298.tif 000012